(57)【特許請求の範囲】
【請求項１】
天板の下面におけるフロントパネルの直前位置に、隣設する天板と連結するための連結金具を取付け、
上記連結金具の前方かつ天板下面に、天板前縁と連続する下部エッジを設け、
上記下部エッジの後端面とフロントパネル前端面との間隙に嵌合し、かつ上記フロントパネル上端より下方に位置するカバー体により、上記連結金具を遮蔽したことを特徴とするカウンターテーブル。
【請求項２】
上記フロントパネルは、天板の下面に垂設された支持枠体に対しては、相対的な上下方向の係止手段により、係止されていることを特徴とする請求項１記載のカウンターテーブル。
【発明の詳細な説明】
【０００１】
【発明の属する技術分野】
本発明は、銀行、役所等で使用される接客用のカウンターテーブルにおける、隣設する天板同士の連結構造に関する。
【０００２】
【従来の技術】
この種のカウンターテーブルは、一定長さのカウンターユニットを複数連設して、所望の長さのカウンターテーブルを形成するようになっている。
【０００３】
【発明が解決しようとする課題】
しかしながら、客側であるカウンター前側における、天板同士の連結部の平滑性や密着性が不十分であるために、見た目の品位が悪かった。
【０００４】
また、フロントパネルの支持枠体前面からの脱落防止のために、前方側からねじによりフロントパネルを支持枠体にねじ止めしていたので、ねじが前方側から見え、これによっても、カウンターテーブルの見た目が悪かった。
【０００５】
本発明の目的は、見た目の体裁を向上させ、かつ不用意な怪我等を防止しうるようにし、しかもフロントパネルの取付作業を容易としたカウンターテーブルを提供することにある。
【０００６】
【課題を解決するための手段】
上記目的を達成するために、本発明のカウンターテーブルは、天板の下面におけるフロントパネルの直前位置に、隣設する天板と連結するための連結金具を取付け、連結金具の前方かつ天板下面に、天板前縁と連続する下部エッジを設け、下部エッジの後端面とフロントパネル前端面との間隙に嵌合し、かつフロントパネル上端より下方に位置するカバー体により、連結金具を遮蔽してある。
【０００７】
上記フロントパネルは、天板の下面に垂設された支持枠体に対しては、相対的な上下方向の係止手段により、係止されていてもよい。
【０００８】
【発明の実施の形態】
図２に示すように、各カウンターテーブルユニット(１)は、天板(２)の下面の前方所定の位置に、支持枠体(４)が取付けられる。
【０００９】
支持枠体(４)の下部梁(4a)の前面の位置には、支持枠体(４)の全幅に亘って、上方を向く鉤状の係止フック(4b)が配設されている。また支持枠体(４)の左右両端の柱(4c)の上部前面の位置には、段付ビス(4d)が設けられている。支持枠体(４)の前面には、後述するフロントパネルが取付けられる。
【００１０】
フロントパネル(５)は、図５及び図１に示すように、後面側下部に、フロントパネルの全幅に亘って、下方を向く鉤状の係止フック(5a)が配設されている。またフロントパネル(５)の後面側の左右両端部の上方位置には、係止孔(5b)が設けられている。係止孔(5b)は鍵孔形状であり、下方に位置する大径部(5c)は段付ビス(4d)とほぼ等しい径になっている。
【００１１】
図２に示すように、天板(２)の下面の両端部で、かつフロントパネルの直前位置には、隣設するカウンターテーブルユニット(１)の天板(２)同士を連結するための連結金具(６)が固着されている。連結金具(６)は、断面Ｌ字形をなし、一方の面が天板(２)の下面に固着され、他方の面が天板(２)の下面に垂直になっている。この他方の面には、後述する六角ボルトを貫通するための左右方向を向く孔(6a)が設けられている。
【００１２】
１対の連結金具(６)を結ぶ線上で、かつ１対の連結金具(６)より内側の位置には、後述するカバー体を取付けるための取付金具(７)が固着されている。
【００１３】
取付金具(７)はコの字形をしており、かつコの字形の両端から、１対の連結金具(６)を結ぶ線方向に延びるつば(7a)を有している。各つば(7a)には、カバー体を取付けるためのねじ孔(7b)が設けられている。取付金具(７)のコの字形の底部は天板(２)の下面に固着されており、つば(7a)の位置は、連結金具とほぼ等しい高さにある。
【００１４】
天板(２)の下面側で、かつ連結金具(６)の前方には、天板(２)の前縁(2a)と連続する下部エッジ(８)が配置されている。下部エッジ(８)は、図６に示す固定側エッジ(8a)と、図７に示す嵌合側エッジ(8b)とを有している。
【００１５】
図１に示すように、下部エッジ(８)の位置(固定側エッジ(8a)に嵌合された嵌合側エッジ(8b)の下面の上下高さ位置)は、後述するカバー体が取付金具(７)に取付けられたときの、カバー体の高さよりも低い位置にある。
【００１６】
カバー体(10)は、図４に示すように、断面コの字形であり、かつ１つのカウンターユニットの全幅とほぼ等しい長さを有しており、かつ図１に示すように、下部エッジ(８)の後端面とフロントパネル(５)の前端面との間隙とほぼ等しい幅を有している。
【００１７】
取付金具のつば(7a)におけるねじ孔(7b)と対向する位置には、孔(10a)が設けられている。カバー体(10)は、取付金具(７)に取付けられたときに、フロントパネル(５)の上端より、下方の位置になる。
【００１８】
次に、カウンターテーブルの組み立てについて説明する。
各カウンターテーブルユニット(１)において、まず天板(２)を、不図示の取付手段により、支持枠体(４)に取付ける。なお、端部のカウンターテーブルユニットには、側面板を取付けてある(図示省略)。
【００１９】
図３に示すように、隣設する天板(２)同士を突き合わせ、対向する連結部材(６)の孔(6a)同士を、六角ボルト(12)，角座金(14)及びクリップナット(16)を用いて連結する。
【００２０】
次に、下部エッジの固定側エッジ(8a)を、天板下面に、天板前縁(2a)と連続するように、即ち天板前縁部(2a)と固定側エッジ(8a)の前面(8c)とが段差なく連続的につながるように、タッピングねじ(18)を用いて固着する。そして嵌合側エッジ(8b)を、下方から固定側エッジ(8a)に押圧して嵌合する。
【００２１】
次に、フロントパネル(５)の係合孔の大径部(5c)を、支持枠体(４)の段付ビス(4d)に嵌合し、かつ下向きフック(5a)と上向きフック(4b)とを対向させ、この状態のままフロントパネル(５)を降下させる。
これにより、係合孔(5b)の小径部(5d)と段付ビス(4d)とが係合し、かつ下向きフック(5a)と上向きフック(4b)とが係合し、フロントパネル(５)が支持枠体体(４)の前面に係止する。
【００２２】
次に、トラス小ねじ(20)を、カバー体(10)の孔(10a)を介して、取付金具(７)のねじ孔(7b)に螺合し、カバー体(10)を取付金具(７)に取付ける。これにより、カウンターテーブルの組立てが完了する。
【００２３】
カウンターテーブル(１)の前方側に近づいた客がカウンターテーブルを見たときに、カバー体(10)を止めているねじ(20)が下部エッジに隠れて見えず、また下部エッジと一体になった天板の前縁部が、全幅に亘って、統一された厚みとなっているので、カウンターテーブル(１)の体裁がよい。
【００２４】
次に、客が不意に天板(２)の前部を掴んだときに、連結金具(６)はカバー体(10)で遮蔽されているので、連結金具(６)により怪我をすることがない。
【００２５】
また、カバー体(10)が天板の全幅に亘って設けられているので、天板(２)の上面からカバー体(10)下面の位置までを天板の厚みと感じて、厚い天板であると感じるので、カウンターテーブルの印象が良くなる。
【００２６】
また、天板の前方部を掴んで立ち上がろうとする客は、カバー体(10)の位置が、下部エッジ(８)より上方にあるので、指を下部エッジ(８)に引っ掛けることができ、立ち上がり易い。
【００２７】
客がフロントパネルに触ってフロントパネルを不意に持ち上げても、その上部がカバー体(10)に遮られているので、フロントパネル(５)の上方部が客側に倒れかかることがない。
【００２８】
カウンターテーブルのイメージを変えるために、フロントパネル(５)を取り換える場合には、トラス小ねじ(20)を緩めてカバー体(10)を外し、フロントパネル(５)を持ち上げて、フロントパネル(５)を支持枠体(４)から取り外す。そして、新たなフロントパネル(５)を上述と同様にして、支持枠体(４)に係止し、次に、カバー体(10)を取付金具(７)にトラス小ねじ(20)により取付ける。フロントパネルの前側からこの作業を行うことができるので、作業が容易である。
【００２９】
天板同士のその前方連結部での平滑性と密着性を高めるためには、連結手段をなるべく天板の前方部に設ける必要がある。しかし、このようにすると、客が前方から連結手段を見てしまい、体裁が悪くなる。また客が連結手段に触れて怪我をする恐れがある。
【００３０】
そこで本発明では、連結手段をなるべく天板の前方部に設けるとともに、更に連結手段の前方に下部エッジを設けて、連結手段を前方側から遮蔽し、かつカバー体により連結手段を下方側から遮蔽してある。更にフロントパネル前面側のねじをなくして体裁をよくし、フロントパネルの取付け作業をも容易にしてある。
【００３１】
下部エッジの断面形状としては、種々のものが考えられ、図８の固定側エッジ(22a)及び図９の嵌合側エッジ(22b)からなるものであってもよい。
嵌合側エッジ(22b)は、固定側エッジ(22a)に対して右方側から嵌合する。なお、この構成の場合には、カバー体(10)が存在することにより、嵌合側エッジ(22b)が固定側エッジ(22a)から外れることを防止する。
【００３２】
【発明の効果】
天板の前方部において、連結部の十分な平滑性と密着性を得ると共に、下部エッジ及びカバー体の存在により、カウンターテーブルの体裁が向上し、また不用意の怪我等を防止しうる。
【００３３】
カバー体はフロントパネル上端より下方に位置しているので、請求項２の発明のように、フロントパネルが、支持枠体に対して、相対的な上下方向の係止手段により、係止されているのみであっても、フロントパネルの脱落が防止される。従って、フロントパネルの取付け作業が容易になる。
【図面の簡単な説明】
【図１】本発明の一実施態様における、カウンターテーブルの側面図である。
【図２】図１において、フロントパネル等を取付ける前のカウンターテーブルを前方下部から見た斜視図である。
【図３】図２において、カウンターテーブル同士を連結する様子を示す、前方下部から見た斜視図である。
【図４】図３において、下部エッジとカバー体との位置関係を示す、前方下部から見た斜視図である。
【図５】図１において、フロントパネルを後面側から見た斜視図である。
【図６】図４の下部エッジの固定側部分を示す側面図である。
【図７】図４の下部エッジの嵌合側部分を示す側面図である。
【図８】他の例の下部エッジの固定側部分を示す側面図である。
【図９】図８の下部エッジの嵌合側部分を示す側面図である。
【符号の説明】
(２)天板
(４)支持枠体
(５)フロントパネル
(６)連結金具
(８)下部エッジ
(10)カバー体
【図１】
0003541363.tif 000002
【図２】
0003541363.tif 000003
【図３】
0003541363.tif 000004
【図４】
0003541363.tif 000005
【図５】
0003541363.tif 000006
【図６】
0003541363.tif 000007
【図７】
0003541363.tif 000008
【図８】
0003541363.tif 000009
【図９】
0003541363.tif 000010